(57)【要約】【課題】オーバーヘッド式ドアにおいて、最下端パネル体に封止部材を設けるにあたり、ガイドレールとの隙間や床面との隙間を確実に封止できるように構成する。【解決手段】最下端パネル体ＰＤ左右両端部の下端部に形成される下向き開口部２ｋに、支持体２５と弾性変形体２６とを備えた封止ユニット２４を設け、弾性変形体２６は、左右方向両端部がガイドレールＧのガイド溝に嵌挿する第一封止部２６ｃと、左右方向両端部がガイド溝近傍部位に達するが、ガイド溝に嵌挿しない第二封止部２６ｄとを備えて構成するとともに、ドア体１の閉鎖作動で、第二封止部２６ｄが第一封止部２６ｃに先行して床面に当接するように構成する。【選択図】図７
2008008053.tif 000002
【特許請求の範囲】
【請求項１】
上下移動自在の開閉体の側部を、開口部に配したガイドレールのガイド溝に嵌挿し、該ガイドレールの移動案内を受けて開閉体の開閉作動がなされる建築用開閉装置において、開閉体の下端部に、床面との封止をするべく弾性変形する左右方向長尺状の封止体を設けるにあたり、前記封止体は、左右方向両端部がガイド溝に嵌挿する第一封止部と、左右方向両端部がガイド溝近傍部位に達するが、ガイド溝に嵌挿しない第二封止部とを備え、開閉体の閉鎖作動で、第二封止部が第一封止部に先行して床面に当接するように構成されている建築用開閉装置。
【請求項２】
第一、第二封止部とは、屋内外に積層状に形成されている請求項１に記載の建築用開閉装置。
【請求項３】
第一、第二封止部は、それぞれ個別に弾性変形するよう下端縁部が分岐して形成されている請求項２に記載の建築用開閉装置。
【請求項４】
第一、第二封止部は、上端部が一体化されて形成されている請求項２または３に記載の建築用開閉装置。
【請求項５】
第一、第二封止部は、弾性変形に基づいて第二封止部の下端縁部が第一封止部の中間部に当接するように構成されている請求項１乃至４の何れか一項に記載の建築用開閉装置。
【請求項６】
第一、第二封止部は、弾性変形のない自然状態において下端部が屋内側に偏寄するように形成されている請求項１乃至５の何れか一項に記載の建築用開閉装置。
【請求項７】
開閉体は、複数のパネル体を上下方向に連結して構成され、最下端パネル体の左右端部に連結した吊持体の変位に基づいて開閉作動する構成とし、封止体は、最下端パネル体の両端部に設けられる吊持体連結用の取り付けブラケットにより左右方向の移動規制を受けるように構成されている請求項１乃至３に記載の建築用開閉装置。
【発明の詳細な説明】
【技術分野】
【０００１】
本発明は、倉庫やガレージ等の建築物の開口部に設けられる建築用開閉装置の技術分野に属するものである。
【背景技術】
【０００２】
一般に、この種の建築用開閉装置のなかには、移動方向に複数のパネル体を揺動自在に連結して構成した開閉体を、躯体開口部に沿う垂直レール部と、天井部に沿う水平レール部と、垂直レール部と水平レール部とのあいだのＲ状レール部とでＬ字形に形成されるガイドレールにより移動案内させるようにして、開閉体の開放時に開閉体を天井面に沿って収納することにより、開口部における開口高さ（間口高さ）を大きくできるようにした、所謂オーバーヘッド式ドアが提唱されている。このような開閉装置を設ける場合に、床面の水平レベルと最下端パネル体の下端縁における水平レベルとが精度良く一定になっていないと、床面と最下端パネル体とのあいだに隙間が形成され、該隙間から光が漏れたり、雨水の浸入等の不具合が発生することが想定される。
【０００３】
これを改善するため、最下端パネル体の下端部に弾性変形自在な封止体を設けて、該封止体が床面の形状に沿って弾性変形することに基づいて、床面と最下端パネル体とのあいだを、隙間がない状態で封止できるように構成したものが提唱されている。
【特許文献１】実開平５−７１３９７号公報
【発明の開示】
【発明が解決しようとする課題】
【０００４】
ところで、前記従来のものは、Ｒ状レール部が形成されたＬ字形のガイドレールに、パネル体の左右端部から外方に突出するガイドローラが走行する構成となっており、封止体は、ガイドレールに嵌挿されることがなく、封止体の左右端部とガイドレールとのあいだに隙間が形成されている。このため、開閉体を全閉姿勢としたとき、封止体と床面とのあいだ、即ち、開閉体と床面とのあいだについては隙間のない状態で閉鎖することができるが、封止体とガイドレールとのあいだや、開閉体とガイドレールとのあいだに隙間が形成されてしまい、該隙間からの光の漏れが問題となる。
前記問題を解決するには、ガイドレールに、開閉体（パネル体）と封止体との両側部をガイドレールに嵌挿させるように構成すればよいが、この場合に、開閉体が全閉姿勢となったとき、封止体はガイドレール内においても変形して床面との封止をすることになる。このため、封止体の開閉方向の長さが長く、変形量を大きくした場合では、ガイドレール内での弾性変形が阻害される可能性があり、ガイドレールの近傍において床面に沿った変形ができ難いという問題が想定される。しかも、封止体をガイドレールに嵌挿させる構成としたものにおいて、開閉体がガイドレールを走行する場合に、封止体の開閉方向長さが長いと、ガイドレール内での封止体がＲ状レール部に擦れて、封止体の早期の損傷が想定されるという問題もある。さらには、封止体がＲ状レール部を閉鎖方向に作動する場合に、封止体が擦れるばかりでなく、折れ曲がるように変形することが想定され、このようになると、封止体が折れ曲がったまま閉鎖作動して、床面に当接しても封止体としての機能を発揮できない惧れがあって問題がある。
一方、封止体の開閉方向長さを短くすると、封止体の弾性変形量を大きく確保することができず、床面との封止性が低下するという問題が生じる。このため、封止体の開閉方向長さは、それぞれの問題に対処するべく中庸の長さに設定せざるを得ず、このままでは、何れの問題に対しても充分な対策が取れないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、上下移動自在の開閉体の側部を、開口部に配したガイドレールのガイド溝に嵌挿し、該ガイドレールの移動案内を受けて開閉体の開閉作動がなされる建築用開閉装置において、開閉体の下端部に、床面との封止をするべく弾性変形する左右方向長尺状の封止体を設けるにあたり、前記封止体は、左右方向両端部がガイド溝に嵌挿する第一封止部と、左右方向両端部がガイド溝近傍部位に達するが、ガイド溝に嵌挿しない第二封止部とを備え、開閉体の閉鎖作動で、第二封止部が第一封止部に先行して床面に当接するように構成されている建築用開閉装置である。
請求項２の発明は、第一、第二封止部とは、屋内外に積層状に形成されている請求項１に記載の建築用開閉装置である。
請求項３の発明は、第一、第二封止部は、それぞれ個別に弾性変形するよう下端縁部が分岐して形成されている請求項２に記載の建築用開閉装置である。
請求項４の発明は、第一、第二封止部は、上端部が一体化されて形成されている請求項２または３に記載の建築用開閉装置である。
請求項５の発明は、第一、第二封止部は、弾性変形に基づいて第二封止部の下端縁部が第一封止部の中間部に当接するように構成されている請求項１乃至４の何れか一項に記載の建築用開閉装置である。
請求項６の発明は、第一、第二封止部は、弾性変形のない自然状態において下端部が屋内側に偏寄するように形成されている請求項１乃至５の何れか一項に記載の建築用開閉装置である。
請求項７の発明は、開閉体は、複数のパネル体を上下方向に連結して構成され、最下端パネル体の左右端部に連結した吊持体の変位に基づいて開閉作動する構成とし、封止体は、最下端パネル体の両端部に設けられる吊持体連結用の取り付けブラケットにより左右方向の移動規制を受けるように構成されている請求項１乃至３に記載の建築用開閉装置である。
【発明の効果】
【０００６】
請求項１の発明とすることにより、ガイドレールに嵌挿してガイドレールとのあいだの隙間を封止でき、しかも、床面との封止も確実になり、開口部における封止性が向上する。
請求項２、３の発明とすることにより、開口部におけるガイドレール、床面との封止性が一層向上する。
請求項４の発明とすることにより、封止体の組み込み作業が容易になる。
請求項５、６の発明とすることにより、封止性が一層向上する。
請求項７の発明とすることにより、構成の簡略化、および、部材の兼用化が図れる。
【発明を実施するための最良の形態】
【０００７】
つぎに、本発明の実施の形態の一例について図面に基づいて説明する。
図中、１は建築用開閉装置であるオーバーヘッド式ドアを構成するドア体（開閉体）であって、該ドア体１は、複数のパネル体Ｐを移動方向（上下方向）に連結することにより構成されている。前記パネル体Ｐは、後述するように、金属製薄板材で構成される左右方向長尺状のパネル面板２と、該パネル面板２の左右端部および左右方向中間部においてそれぞれ配される樹脂製の第一、第二連結部材３、４とを用いて構成されており、隣接する第一、第二連結部材３、４同士が揺動自在（折曲自在）な連結をするように構成されている。
【０００８】
一方、Ｇは開口部を構成する躯体両側部に固定される左右一対のガイドレールであって、開口部両側に沿う垂直レール部５と、天井部に沿う水平レール部６と、前記垂直レール部５と水平レール部６とのあいだに位置するＲ状レール部７とを備えて略Ｌ字形となる状態で一体的に形成されている。そして、これら各レール部５、６、７は、底片５ａ、６ａ、７ａと、これら底片５ａ、６ａ、７ａを挟む一対のガイド片５ｂ、６ｂ、７ｂとを備えて断面コ字形をしたガイド溝に構成されており、これら各ガイド溝を連通状に連結することによりガイドレールＧが形成されている。そして、前記ガイドレールＧを、ドア体１の左右両端部から外方に突出する複数のガイドローラ８が走行することにより、ドア体１はガイドレールＧの移動案内を受ける（ガイドされる）ように設定されており、これら基本的な構成は従来通りとなっている。
【０００９】
そして、本実施の形態のガイドレールＧにおいて、垂直レール部５と、水平レール部６との溝深さを構成する各一対のガイド片５ｂ、６ｂは、同様の長さに設定されているが、Ｒ状レール部７におけるガイド溝深さとなる一対のガイド片７ｂは、前記垂直、水平レール部５、６のガイド片５ｂ、６ｂの長さよりも短い長さに設定されており、Ｒ状レール部７におけるガイド溝深さ（開閉体１の嵌挿代）が、垂直、水平レール部５、６におけるガイド溝深さよりも浅くなる（短くなる）ように設定されている。
さらに、垂直、水平レール部５、６のガイド片５ｂ、６ｂの溝開口側端部（溝入口部）には、互いに近接する方向に突出する規制片５ｃ、６ｃが形成されていて、溝開口の溝幅を狭めるように構成されて、パネル体Ｐのガタつきを低減した状態、および、後述するようにパネル体Ｐの抜け止めがなされた状態でい同案内するように設定されている。一方、Ｒ状レール部７のガイド片７ｂに規制片は形成されず、ガイド溝溝開口がそのまま開口する状態となっている。
【００１０】
前記左右一対のガイドレールＧのうち、一方（本実施の形態では、図１の図面において向かって左側）のガイドレール水平部６の屋内側端部には、開閉機９が配されており、該開閉機９は、左側ガイドレール水平部６と天井面とを介して躯体に一体固定されている。
前記開閉機９は、電動モータ（図示せず）の正逆回転駆動に伴い正逆回転する螺軸９ａが屋外側に向けて延設される構成となっており、前記螺軸９ａは、開閉機９の屋外側端部から開口部側である屋外側を向き、左側のガイドレール水平部６の内側に隣接する状態で伸長する走行レール１０により回転自在に支持されている。そして、前記螺軸９ａには、移動体１１が回り止め状に螺合されており、これによって、電動モータの駆動がなされることにより螺軸９ａが正逆回転することに基づいて、螺軸９ａ上を移動体１１が屋内外方向に強制移動するように設定されている。そして、開閉機９の駆動力を受ける移動体１１の屋外側端には、連結体１１ａが揺動自在に連結されており、該連結体１１ａが、ドア体１の上端部に連結され、両端部がガイドレールＧに移動ガイドされる角形状のパイプ材１ａの左側に連結されている。これによって、開閉機９の正逆駆動に伴う移動体１１の屋内外方向の移動に伴いドア体１の左側部位が強制移動せしめられ、ドア体１は、ガイドレールＧの垂直レール部５に位置して開口部の閉鎖をする全閉姿勢と、水平レール部６に位置して開口部の開放をする全開姿勢とのあいだを開閉作動するように設定されている。
【００１１】
一方、前記左右一対のガイドレールＧの水平レール部６の下方には、屋内外方向に長いケース体１２が下側に位置するガイド片６ｂに固定される状態でそれぞれ一体的に設けられている。これらケース体１２のうち、左側に位置するケース体１２の屋外側端部は、躯体側に固定される支持ブラケット１３に形成されるケース体支持部１３ａにより一体的に固定されている。さらに、前記支持ブラケット１３にはレール支持部１３ｂが形成されており、該支持レール支持部１３ｂは、開閉機９から屋外側に延出する走行レール１０と螺軸９ａとの屋外側端部がそれぞれ支持されている。
前記左右のケース体１２は、ガイドレール水平部６と略同形状であるが、それぞれ左右方向内側が開口するように形成されており、各ケース体１２の屋外側部位に位置してコイル状に形成された引っ張り弾機に相当するバランス弾機１４が屋内外方向を向く状態でそれぞれ収容されている。前記各バランス弾機１４の屋外側端部（本発明の引っ張り弾機の他端部に相当する）１４ａは、ケース体１２の屋外側端面１２ａ（躯体側）に固定される一方、屋内側端部１４ｂ（本発明の引っ張り弾機の一端部に相当する）には可動スプロケット１５がそれぞれ連結されている。
【００１２】
前記各可動スプロケット１５は、バランス弾機１４の伸縮作動に伴いケース体１２内を屋内外方向に移動するように構成されており、前記各可動スプロケット１５には吊持体１６がそれぞれ巻回されており、各吊持体１６の基端部１６ａは、各ケース体１２の屋内側端部（躯体側）にそれぞれ固定されている。
一方、１７は、左右のガイドレール水平部６およびケース体１２の屋内側端部にそれぞれ軸承された固定スプロケットであって、これら各固定スプロケット１７には、前記各可動スプロケット１５に巻回された吊持体１６の他端部が巻回され、吊持体１６を、ガイドレール水平部６内の上方部位を経由して屋外側に引き出すように設定されている。そして、屋外側に引き出され吊持体１６は、ワイヤで構成される引き出し端部１６ｂが、開口部上方に配された案内プーリ１６ｃを経由して垂直レール部５内に引き出され、ドア体１の最下端に位置する最下端パネル体ＰＤの左右両端部にそれぞれ連結されている。ここで、吊持体１６の引き出し端部１６ｂと最下端パネル体ＰＤとの連結は、後述するように、最下端パネル体ＰＤに一体的に設けられる吊持体取り付けブラケット１８を介してなされており、吊持体１６は、ドア体１の屋外側から引き回されて、吊持体取り付けブラケット１８の下端面を経由してドア体１の屋内側において固定されるように設定されている。このように、吊持体１６をドア体１に連結することにより、ドア体１とバランス弾機１４とが吊持体１６を介して連結され、これによって、ドア体１の荷重は、定滑車としての機能を備えた固定スプロケット１７、動滑車としての機能を備えた可動スプロケット１５を介してバランス弾機１４が受ける構成となるように設定されている。そして、ドア体１は、前述したように、開閉機９の駆動力に基づく開閉作動力の作用に伴い、バランス弾機１４の付勢力を受ける状態で開閉作動を行い、これによって、ドア体１の軽快な開閉作動がなされるように構成されている。
このとき、ドア体１とバランス弾機１４とのあいだに設けられる可動スプロケット１５は動滑車として機能することにより、ドア体１の開閉ストロークに対しバランス弾機１４の伸縮ストロークを半分にすることができ、部材装置のコンパクト化が図れるように構成されている。
【００１３】
さらに、前記吊持体１６は、スプロケット１５、１７巻回部位についてはチエンにより構成されている一方、前記左右の固定スプロケット１７には、固定スプロケット１７と一体回転する円板１９が設けられており、これら円板１９同士は、回転軸２０を介して連動連結されている。これによって、左右の固定スプロケット１７同士が互いに同期された状態で回転することにより、左右の吊持体１６（チエン）を同速で移送するように設定されている。そして、開閉機９の駆動力に基づいて強制移動する移動体１１がドア体１の左右方向一方を開閉操作することにより、ドア体１の左側に偏寄してドア体１を強制移動せしめたとしても、ドア体１下端部の左右両側に連結する一対の吊持体１６同士が互いに同期する状態で固定スプロケット１７により移送されることにより、左右の吊持体１６の引き出し、引き戻し状態が同じになり、ドア体１の左右何れか一方の開閉作動が遅れてしまい、所謂片下がり状態になることがなく、軽快、かつ、円滑な開閉作動を行えるように構成されている。
【００１４】
つぎに、前記ドア体１の構成について説明するが、該説明は、ドア体１が開口部を閉鎖している姿勢を基準として記載する。
ドア体１を構成する各パネル体Ｐは、前述したようにパネル面板２と第一、第二連結部材３、４とで構成されており、前記パネル面板２は、パネル面を構成する本体部２ａの上縁部に位置して屋内側方向下側に向けて折り返された上側折り返し片部２ｂが折曲形成され、下縁部に位置して屋内側方向上側に向けて折り返されたものがさらに下方に向けて折り返された下側折り返し片部２ｃが折曲形成され、各折り返し片部２ｂ、２ｃと、本体部２ａとのあいだに上側空隙部ＵＳと下側空隙部ＤＳとが形成されている。これら各パネル面板２に、屋内側から左右両端部に第一連結部材３を、左右方向中間部に第二連結部材４をそれぞれ設けることにより、隣接するパネル体Ｐ同士の折曲自在（揺動自在）な連結がなされるとともに、パネル体Ｐ（ドア体１）としての強度アップを図るように設定されている。尚、これら第一、第二連結部材３、４は、それぞれ樹脂材を一体型成形したもので構成されており、第一連結部材３については、左右勝手違いの第一連結部材３がパネル面板２の左右両側部にそれぞれ設けられている。
【００１５】
前記第一連結部材３は、上下縁部に位置し、パネル面板２の上下側空隙部ＵＳ、ＤＳに内嵌される上下側嵌合片部３ａ、３ｂと、これら上下側嵌合片部３ａ、３ｂとを屋内側部位に偏寄して連結する中間プレート部３ｃとを備えて構成されている。ここで、上下側嵌合片部３ａ、３ｂとの左右外端部は、中間プレート部３ｃの左右外端部よりも左右方向外方（開口部の外側）に向けて突出するように形成されている。さらに、第一連結部材３の上端部には屋内側、かつ、上方に突出する状態で連結片３ｄが形成され、下端部には二股状に分岐する連結受け片３ｅが屋内側、かつ、下方に突出する状態で形成されている。また、第一連結部材３は、上端部に位置してガイドレール５に嵌挿するガイドローラ８の軸部８ａを支持するための支持孔３ｆが形成されている他、左右方向外端縁部の上下端部に位置して係止爪３ｇ、３ｈが形成されている。これら係止爪３ｇ、３ｈは屋内外方向への弾性変形が可能な状態で一体形成され、パネル面板２の左右両端部に開設された上下の係止受け孔２ｄ、２ｅにそれぞれ係合するように組み込むことで、第一連結部材３がパネル面板２に対して一体的（抜止め状）に装着されるように設定されている。このとき、第一連結部材３は、上下側嵌合片部３ａ、３ｂをパネル面板２の上下側空隙部ＵＳ、ＤＳの左右方向外方にあてがい、第一連結部材３を左右方向内方に向けてスライドさせることで一体的な装着がなされるように構成されており、該装着時において、係止爪３ｇ、３ｈが弾性変形して係止受け孔２ｄ、２ｅとの係合が自動的になされるように設定されている。
【００１６】
また、パネル面板２の左右方向中間部を連結する第二連結部材４は、パネル面板２の左右幅によっては必ずしも装着する必要のある部材ではないが、該第二連結部材４は、パネル面板２に形成される上側空隙部ＵＳの下方、下側空隙部ＤＳの上方の半部にそれぞれ内嵌される上下側嵌合片部４ａ、４ｂと、これら上下側嵌合片部４ａ、４ｂとを連結する中間プレート部４ｃとを備えて構成されている。さらに、第二連結部材４の上端部には連結片４ｄが屋内側、かつ、上方に突出する状態で形成され、下端部には二股状に分岐する連結受け片４ｅが屋内側に突出し、かつ、下方に突出する状態で形成されている。また、第二連結部材４は、左右一対の連結受け片４ｅが分岐する部位の屋外側面に位置決め突部４ｆが形成されており、該位置決め突部４ｅを、パネル面板２の下側折り返し片部２ｃに形成された貫通孔２ｆに嵌入させることで、パネル面板２に対する位置決め、そして、外れ止め（抜け止め）がなされるように構成されている。
このように構成された第二連結部材４は、パネル面板２の屋内側面の左右方向中央部位で、上下方向中間部位に位置し、上下側嵌合片部４ａ、４ｂが左右に位置する姿勢として対向せしめ、この状態から、第二連結部材４を回転させることにより、上側嵌合片部４ａをパネル面板２の上側空隙部ＵＳに、下側嵌合片部４ｂを下側空隙部ＤＳに嵌合（装着）できるように構成されており、該装着時に、位置決め突部４ｆをパネル体Ｐの貫通孔２ｅに嵌入させることによって、第二連結部材４のパネル面板２への位置決めとともに、抜け止めがなされるように設定されている。
【００１７】
そして、パネル面板２に装着された第一連結部材３同士は、下側に位置するパネル体Ｐ側の連結片３ｄを、上側に位置するパネル体Ｐ側の連結受け片３ｅの二股間に嵌入させ、これらを連結ピン３ｉを用いて連結することにより、第一連結部材３同士の揺動自在な連結がなされるように設定されている。
また、パネル体Ｐに装着された第二連結部材４同士は、下側に位置するパネル体Ｐ側の連結片４ｄを、上側に位置するパネル体Ｐ側の連結受け片４ｅの二股間に嵌入させ、これらを連結ピン４ｇを用いて連結することで、第二連結部材４同士の揺動自在な連結がなされるように設定されている。このように、第一、第二連結部材３、４を介して一連状となったパネル体Ｐは、隣接するパネル体Ｐ同士のあいだが揺動自在（折曲自在）となる状態でドア体１を構成するように設定されている。
【００１８】
前記ドア体１を構成した状態において、各パネル体Ｐの左右両端部には第一連結部材３が設けられており、該第一連結部材３の上下側嵌合片部３ａ、３ｂは、これらのあいだの中間プレート３ｃの左右外端縁よりも左右方向外方に突出して形成されている。
一方、ガイドレールＧは、前述したように、垂直レール部５と水平レール部６とにおけるガイド溝の溝深さ（各ガイド片５ｂ、６ｂの長さ）は同一であり、Ｒ状レール部７のガイド溝の溝深さ（ガイド片７ｂの長さ）は、前記垂直レール部５と水平レール部６とにおけるガイド溝の溝深さよりも浅く設定されている。そして、垂直レール部５と水平レール部６においては、第一連結部材３（パネル体Ｐ）の左右方向外方に突出するガイドローラ８から中間プレート３ｃ形成部位までを遊嵌状に内嵌（嵌挿）するが、Ｒ状レール部７においては、ガイドローラ８から中間プレート３ｃの外側まで、即ち、切り欠き部Ｃ形成部位を遊嵌状に内嵌（嵌挿）するように構成されており、これによって、Ｒ状レール部７における曲率を、パネル体Ｐの移動方向長さ全体が嵌挿する場合よりも小さくすることが可能となるように構成されている。これに対し、垂直、水平レール部５、６においては、中間プレート部３ｃが嵌挿される状態となっており、これによって、垂直、水平レール部５、６の屋内側において隙間が形成されることがなく、指が挟み込まれるような不具合がないように構成されている。
【００１９】
さらに、各パネル体Ｐの左右両端部に装着される第一連結部材３には、中間プレート３ｃの左右方向外端縁に位置し、屋内側に突出する抜け止め片３ｊが一体形成されている。そして、抜け止め片３ｊは、垂直、水平レール部５、６においてガイド溝に嵌挿され、ガイド片５ｂ、６ｂの規制片５ｃ、６ｃに係止することによりパネル体Ｐの左右方向のズレ止めをするとともに、抜け止め片３ｊが耐風フックとして機能してパネル体Ｐの抜け止めをするように設定されている。因みに、抜け止め片３ｊの突出長さは、ガイドローラ８の外径よりも小さくなるように設定されている。また、抜け止め片３ｊは、Ｒ状レール部７に嵌挿することはないように構成されている。
尚、２１はガイドレールＧの垂直部レール５上端部に開設され、パネル体ＰをガイドレールＧに組み込む際の出し入れ口５ｄを塞ぐ樹脂材により一体型成形勢されたカバー体２１である。
【００２０】
また、前記パネル面板２は、上側折り返し片部２ａを屋内（裏面）側に退避させて形成することにより、傾斜状の段差面２ｇを備えた退避凹部２ｈが形成されている。これに対し、第一、第二連結部材３、４は、パネル体面板２の形状に沿うべく、上側嵌合片部３ａ、４ａを屋内側に退避させて形成することにより、傾斜状の段差面３ｋ、４ｈを備えた退避凹部３ｍ、４ｉが形成されている。そして、第一、第二連結部材３、４が装着されたパネル体Ｐ同士が上下方向に連結する姿勢（ドア体１がガイドレール垂直部５ａを走行する姿勢）において、上側に位置するパネル体Ｐ（第一、第二連結部材３、４）の下端部（下側折り返し片２ｃ、下側嵌合片部３ｂ、４ｂ）が下側に位置するパネル体Ｐ（第一、第二連結部材３、４）の退避凹部２ｈ（第一、第二連結部材退避凹部３ｍ、４ｉ）の屋外側に積層状に配設されるように設定されている。このとき、上側パネル体Ｐの下端となるパネル面板下端面２ｉと下側パネル体Ｐのパネル面板段差面２ｇとのあいだであって、パネル面板退避凹部２ｈに相当する部位には隙間Ｓが形成されるように設定されており、該隙間Ｓは、ドア体１が開閉作動するべくパネル体Ｐ同士が揺動するときに離間し、平行あるいは垂直移動するときに近接対向するが、前記隙間Ｓの長さは、前記近接対向したときにも人の指を挟み込むことのない長さに設定されていて、屋外側面に形成される指挟み防止用の隙間Ｓに設定されている。
さらに、パネル面板２の退避凹部２ｈ相当部位の左右端部であって、垂直、水平レール部５、６のガイド溝内に嵌挿される部位には、矩形状の係止孔２ｊが開設されている。一方、第一連結部材３は、上側嵌合片部３ａから上側に位置する係止爪３ｇ形成部位に至る部位が左右方向に長い中空状（筒状）の中空部３ｎに形成されており、該中空部３ｎとなる上側嵌合片部３ａの退避凹部３ｍ相当部位には、前記パネル体係止孔２ｊに連通する状態で矩形状の係止孔３ｐが開設されている。そして、これら係止孔２ｊ、３ｐに、樹脂材で一体型成形勢された端部ブロック２２がパネル体Ｐから抜け止め状に設けられている。そして、端部ブロック２２は、隣接するパネル体２同士のあいだに形成される前記スペースＳのうち、ガイドレールＧの垂直、水平レール部５、６に嵌挿される部位におけるスペースＳを塞ぎ、該部位に指が挟み込まれるのを防止するとともに、最下端パネル体ＰＤが垂直レール部５に位置して吊持体１６により上側に吊持される状態において、最下端パネル体ＰＤの下端部が上側のパネル体Ｐに対して屋外側に向けて揺動しようとするのを規制するように設定されている。
【００２１】
さらに、前記最下端パネル体ＰＤは、前述したように、左右端部に吊持体取り付けブラケット１８が一体的に取付けられているが、前記吊持体取り付けブラケット１８は、最下端パネル体ＰＤ下端部における左右両端部に位置して取り付けられている。
つまり、前記パネル面板２は、下側折り返し片部２ｃを形成することにより下側空隙部ＤＳの屋内側に隣接して、下方が開口するよう形成された下向き開口部２ｋが形成されている。
一方、前記吊持体取り付けブラケット１８は、図９、１０に示すように、上、下側半部１８ａ、１８ｂを備えて構成されており、上側半部１８ａを、最下端パネル体ＰＤの前記下向き開口部２ｋに下側から内嵌させ、螺子１８ｉを用いて螺合することにより固定されている。そして、下側半部１８ｂの左右方向外方部位は、上側半部１８ａから屋内外両方向に突出しており、屋外側においては下方ほど屋内側に偏寄する傾斜面１８ｃが形成され、屋内側においてはパネル面板２の本体部２ａと同方向を向く垂直面１８ｄが形成されている。さらに、前記下側半部１８ｂには、吊持体１６を案内する案内溝１８ｅが凹設されるが、該案内溝１８ｅは、屋外側の傾斜面１８ｃから下側半部１８ｂの下端面を経由して、屋内側の垂直面１８ｄの上下方向中間部に至る外周面に連通状に形成されている。
一方、吊持体１６は、最下端パネル体ＰＤに連結される引き出し端部１６ｂは、前述したように、ワイヤで構成されるが、該引き出し端部１６ｂの最下端パネル体ＰＤとの連結側端部には球状の係止体１６ｄが一体的に設けられている。これに対し、さらに、吊持体取り付けブラケット１８の案内溝１８ｅの垂直面１８ｄ側の上端部には、前記係止体１６ｄが抜け止め状に内嵌係止するべく、案内溝１８ｅよりも溝幅の大きい係止凹部１８ｆが、案内溝１８ｅに連通する状態で形成されている。
【００２２】
そして、開口部の上方に配された案内プーリ１６ｃから引き出され、最下端パネル体ＰＤの屋外側から屋内側に引き回される吊持体引き出し端部１６ｂは、係止体１６ｄを、係止凹部１８ｆに対し、垂直面１８ｄ側（屋内側）から屋外側に向けて係止させることで、吊持体取り付けブラケット１８に対して抜け止め状の係止がなされるように設定されている。ここで、吊持体１６を最下端パネル体ＰＤに連結すると、吊持体１６は、前述したようにバランス弾機１４の付勢力を受けて張設され、吊持体１６が屋外側に向けて引っ張られることにより、係止体１６ｄが屋内側に位置する係止凹部１８ｆに引っ掛かるようにして抜け止めされている。この状態において、吊持体１６の張力が消失して吊持体１６が係止凹部１８ｆに係止する状態から屋内側に突出して係止凹部１８ｆから抜け出す惧れが想定される。これに対し、本実施の形態では、係止体１６ｄを内嵌した状態で、垂直面１８ｄ側の案内溝１８ｅの溝端部に外れ止めピン２３を挿入し、係止体１６ｄが係止凹部１８ｆから屋内側に突出するのを回避して案内溝１８ｅから外れるのを防止するように構成されている。
つまり、外れ止めピン２３は二つ折りに折り状に折曲形成されており、一方の折り曲げ片２３ａを、下側半部垂直面１８ｄの上部から案内溝１８に連通状に開設したピン孔１８ｇに挿入させることにより、該一方の折り曲げ片２３ａが係止体１６ｄの屋内側に係止して、係止体１６ｄの屋内側への突出を防止して係止体１６ｄの案内溝１８ｅからの外れ止めをするように構成されている。尚、外れ止めピン２３は、他方の折り曲げ片２３ｂの端部に形成した折曲部２３ｃを係止凹部１８ｆに係止させることで、外れ止めピン２３自体の係止凹部１８ｆからの抜け止めがなされている。
尚、１８ｈは、前記第一連結部材３に軸承されるガイドローラ８と同様のガイドローラ８を装着するための支持孔である。
【００２３】
このように、最下端パネル体ＰＤの下端部に形成される下向き開口部２ｋの左右両端部には、左右一対の吊持体取り付けブラケット１８がそれぞれ固定されているが、これら吊持体取り付けブラケット１８のあいだには、封止ユニット２４が設けられている。
前記封止ユニット２４は、下向き開口部２ｋに螺子２４ａを用いて内嵌状に固定される支持体２５と、該支持体２５に保持されて弾性変形する弾性変形体２６（本発明の封止体に相当する）とを備えて構成されており、前記支持体２５はアルミ型材で構成される左右方向長尺体であって、下向き開口部２ｋと略同形の外径を備えた中空状の本体部２５ａを備えて構成されており、該本体部２５ａの下端部には、屋内外方向互いに近接する方向に突出する屋内外一対の保持片部２５ｂが形成されている。
尚、２５ｃは、本体部２５ａの屋外側面から屋外側に向けて突出する突き当て面であって、該突き当て面２５ｃは、支持体２５を下向き開口部２ｋに内嵌させる場合に、最下端パネル体ＰＤの下端部となるパネル面板下端面２ｉに突き当てることにより、最下端パネル体ＰＤに対して支持体２５を上下方向位置決め状に組み込むことができるように構成されている。
【００２４】
一方、弾性変形体２６は、ゴム質弾性材で形成される左右方向長尺体であって、屋内外方向に切り欠かれた細首部２６ａを介し、細首部２６ａの上方に位置し弾性変形し難く形成された支持頭部２６ｂと、細首部２６ａの下方に位置し、弾性変形し易く形成された第一、第二封止部２６ｃ、２６ｄとを備えて構成されている。そして、弾性変形体２６は、細首部２６ａに、支持体２５に形成された一対の保持片部２５ｂを嵌挿させることにより、支持頭部２６ｂが保持片部２５ｂに保持されて、下方への抜け止めがなされた状態で支持されるように設定されている。尚、弾性変形体２６の支持体２５への組み込みは、弾性変形体２６の支持頭部２６ｂを、支持体２５の左右何れか一方の端部において保持片部２５ｂの上方にあてがい、細首部２６ａに保持片部２５ｂを嵌め込んで左右方向他方に向けてスライドさせることで組み込まれ、この組み込み状態において、封止ユニット２４は、支持体２５の下方に第一、第二封止部２６ｃ、２６ｄが弾性変形自在な状態で保持されるように設定されている。
【００２５】
そして、前記弾性変形体２６の第一、第二封止部２６ｃ、２６ｄは、本実施の形態では、細首部２６ａの直下において、所定間隙を存した状態で屋内外に分岐することにより、一対の第一、第二封止部２６ｃ、２６ｄが屋内外方向に積層する状態で形成されており、第一、第二封止部２６ｃ、２６ｄの上端部は一体化された状態であるが、下端部（床面側の端部）は分岐されて、それぞれ個別に弾性変形することができるように構成されている。さらに、図１２に示すように、第一封止部２６ｃは第二封止部２６ｄよりも上下方向（開閉方向）に短く、第一封止部２６ｃの弾性変形量が第二封止部２６ｄの弾性変形量よりも小さくなるように設定されている。因みに、第二封止部２６ｄの上下方向長さは、第二封止部２６ｄから第一封止部２６ｃを差し引いた長さ、即ち、第一封止部２６ｃよりも下方に延出する長さが、床面の水平性におけるバラツキを吸収し得る長さに設定されており、本実施の形態では、およそ２０ｍｍとなるように設定されている。
さらに、第二封止部２６ｄの左右端部は切り欠かれており、第一封止部２６ｃが第二封止部２６ｄの左右方向長さよりも長くなるように形成されている。これによって、封止ユニット２４が設けられた最下端パネル体ＰＤをガイドレールＧに組み込んだとき、図６に示すように、屋内側に位置する第一封止部２６ｃは、ガイド片５ｂ、６ｂの長い垂直、水平レール部５、６に嵌挿される長さとなるが、屋外側に位置する第二封止部２６ｄは、垂直、水平レール部５、６に嵌挿されず、左右端縁部が開口部内に位置する長さになるように構成されている。
また、これら第一、第二封止部２６ｃ、２６ｄは、弾性変形したときに第一封止部２６ｃの下端縁部が第二封止部２６ｄの上下方向（開閉方向）中間部に当接するように構成されているとともに、第一、第二封止部２６ｃ、２６ｄとは、ともに屋内側に向けて偏寄し、パネル面に対して傾斜した姿勢となるように形成されている。
【００２６】
このものにおいて、ドア体１の閉鎖作動は、上下方向の長さが短い第一封止部２６ｃが床面に当接して、僅かに変形する状態で停止し、この状態において全閉姿勢となるように設定されている。これによって、ドア体１の閉鎖作動の過程で、図１３に示すように、上下方向長さの長い第二封止部２６ｄが先行して床面に当接し、この状態から、ドア体１のさらなる閉鎖作動がなされると、第二封止部２６ｄが屋内側に大きく変形をする一方、第一封止部２６ｃが床面に当接し僅かに変形した状態となり、この状態において、ドア体１の閉鎖作動が停止してドア体１が全閉姿勢となるように設定されている。
そして、ドア体１の全閉姿勢においては、図１４に示すように、第一、第二封止部２６ｃ、２６ｄは、ともに屋内側に倒れ込むように弾性変形して、第一、第二封止部２６ｃ、２６ｄのあいだに隙間が形成されてしまうようなことがなく、しかも、第一封止部２６ｃの下端縁部が第二封止部２６ｄに当接して上側から押さえつけるように積層する状態で弾性変形するように設定され、これによって、床面に対する第二封止部２６ｄによる封止状態を、第一封止部２６ｃがさらに押さえつけて補強するように機能することになって、封止性が一層向上するように構成されている。
【００２７】
さらに、この場合に、第一封止部２６ｃは第二封止部２６ｄよりも短く、変形量が第二封止部２６ｄよりも小さくなるように設定され、これによって、ガイドレールＧとのあいだを封止するべくガイドレールＧ（水平、垂直レール部５、６）に嵌挿する第一封止部２６ｃは、ガイドレールＧ内においての変形量が小さくなって、ガイドレールＧにより弾性変形を阻害されることがないように設定されている。これによって、ガイドレールＧの近傍に隙間が形成されることがなく、確実な封止を行えるように設定されている。
これに対し、第一封止部２６ｃよりも上下方向長さが長い第二封止部２６ｄは、大きな弾性変形により床面の水平レベルが劣る床面であったとしても床面との封止を確実にすることができ、しかも、ガイドレールＧに嵌挿しないが故にガイドレールＧによる損傷を回避することができ、この結果、床面との当接に基づく大きな弾性変形を確保することができるとともに、ガイドレールＧとのあいだの封止を確実に行うことができ、ドア体１の全閉姿勢において、光漏れや雨水の浸入等の不具合を防止できるように構成されている。
因みに、本実施の形態では、Ｒ状レール部７のガイド溝深さが垂直、水平レール部５、６におけるガイド溝深さよりも浅く形成されており、Ｒ状レール部７に弾性変形体２６が嵌挿されることはない。従って、本実施の形態では、Ｒ状レール部７が弾性変形体２６を摩耗させてしまうような不具合が全く無いように構成されている。
【００２８】
そして、前記弾性変形体２６は、支持体２５に対して左右方向にスライド移動自在に嵌挿支持されている。この場合に、弾性変形体２６の左右方向の移動規制をするものは特別に設けられていないが、本実施の形態では、支持体２５の左右両端部には一対の吊持体取り付けブラケット１８が固定されている。これら吊持体取り付けブラケット１８の側面形状と支持体２５の側面形状とは、略同形状に形成されており、弾性変形体２６の細首部２６ａの下方部位であって、第一、第二封止部２６ｃ、２６ｄが一体的に連結される連結部２６ｅに、吊持体取り付けブラケット１８の左右方向内方側の下側半部における下片１８ｊが隣接するように設定されており、これによって、弾性変形体２６は吊持体取り付けブラケット１８により左右方向の移動規制を受けるように設定されている。
【００２９】
叙述の如く構成された本形態において、ドア体１は、開閉機９の正逆駆動に伴い、開口部両側に設けられたガイドレールＧによる移動案内を受けて開口部の開閉作動をする。そして、このものにおいて、最下端パネル体ＰＤの下端部に封止ユニット２４が設けられるが、該封止ユニット２４を構成する弾性変形体２６は、左右両端部がガイドレールＧ（垂直、水平レール部５、６）に嵌挿し、かつ、上下方向（開閉方向）長さが短い第一封止部２６ｃと、ガイドレールＧに嵌挿されず、上下方向長さが長い第二封止部２６ｄとを備え、ドア体１の閉鎖作動時に、第一封止部２６ｃに先行して床面に当接して弾性変形する第二封止部２６ｄとを備えて構成されている。この結果、ガイドレールＧに嵌挿して、ガイドレールＧとのあだの隙間を塞ぐ第一封止部２６ｃの弾性変形が小さくても、第二封止部２６ｄが大きく弾性変形することにより、開口部における床面の封止を確実に行うことができることになって、開口部の封止性が高められたオーバーヘッド式ドアを提供することができる。
【００３０】
しかも、本発明が実施されたものにあっては、第一、第二封止部２６ｃ、２６ｄが屋内外方向積層状に形成されており、しかも、第一、第二封止部２６ｃ、２６ｄの下端部（床面側の端部）がそれぞれ分岐されてフリーな状態になっているので、第一、第二封止部２６ｃ、２６ｄがそれぞれ床面に沿って個別に弾性変形することになって、開口部における封止性（ガイドレール、床面における封止性）を一層高めることが可能となる。
【００３１】
そのうえ、このものでは、第一、第二封止部２６ｃ、２６ｄは、細首部２６ａの下方で分岐する状態で形成され、上方部位については一体化されているので、支持頭部２６ｂを支持体２５に組み込むことにより、封止ユニット２４を容易に構成することができて、弾性変形体２６の組み込み作業を容易に行うことができる。
【００３２】
さらに、このものでは、第一、第二封止部２６ｃ、２６ｄがともに屋内側に偏寄して形成されているので、床面との当接で弾性変形がし易いうえ、弾性変形に基づいて第一封止部２６ｄの下端縁が第二封止部２６ｃに当接するので、第一、第二封止部２６ｃ、２６ｄの下端部同士が分岐して個別な弾性変形が許容されていながら、第二封止部２６ｄの弾性変形により第一封止部２６ｄが追随する状態で弾性変形し、第一封止部２６ｄが第二封止部２６ｃを押さえつけるように変形することになって、封止性を一層向上させることができる。
【００３３】
さらに、このものにおいては、最下端パネル体ＰＤの下端部における左右端部に配される吊持体取り付けブラケット１８のあいだに封止ユニット２４を設ける構成とし、吊持体取り付けブラケット１８が、支持体２５（封止ユニット２４）に対して左右方向移動自在に配される弾性変形体２６の移動規制をするように構成したので、構成の簡略化を果せるうえ、部材の兼用化を図ることができる。
【００３４】
尚、本発明は前記実施の形態に限定されないことは勿論であって、封止体としては、前記第一の実施の形態の弾性変形体（封止体）のように、第一、第二封止部の上端部を一体化し、屋内外方向に積層するように構成したものの他に、第一、第二封止部をそれぞれ別個に形成し、これら一対の封止部を最下端パネル体に組み込む構成としてもよく、さらには、図１５に示す第二、第三の実施の形態のようにすることもできる。
図１５（Ａ）に示す第二の実施の形態の弾性変形体２７は、細首部２７ａの上方に支持頭部２７ｂが形成されることは前記第一の実施の形態と同様であり、細首部２７ａの下方に、第一、第二封止部２７ｃ、２７ｄとが一体に形成されたものになっている。これら第一、第二封止部２７ｃ、２７ｄは、屋内外方向の対向間に隙間がなく、中実状に形成されており、左右端部において仮想線で示す部位に沿って切り欠くことで、第一封止部２７ｃが屋内側に位置し、ガイドレールに嵌挿され、第二封止部２７ｄが屋外側に位置し、ガイドレールに嵌挿されないように構成されている。そして、この場合に、開閉体の閉鎖作動の過程で先行して床面に当接して変形する第二封止部２７ｄが、ガイドレールに嵌挿されることがなく、床面に沿って大きく弾性変形することが可能である一方、第一封止部２７ｃがガイドレールに嵌挿されることでガイドレールとのあいだの隙間が塞がれて、封止性のよいオーバーヘッド式ドアとすることができる。
【００３５】
また、図１５（Ｂ）に示す第三の実施の形態の弾性変形体２８は、細首部２８ａの上方に支持頭部２８ｂが形成されることは前記第一の実施の形態と同様であり、細首部２８ａの下方に、第一、第二封止部２８ｃ、２８ｄとが一体に形成されたものになっている。これら第一、第二封止部２８ｃ、２８ｄは、屋内外方向の対向間に隙間が形成（中空状）されているが、第一封止部２８ｃの下端部が第二封止部２８ｄに一体化された状態となっており、左右端部において、仮想線で示す部位に沿って切り欠くことで、第一封止部２８ｃが屋内側に位置し、ガイドレールに嵌挿され、第二封止部２８ｄが屋外側に位置し、ガイドレールに嵌挿されないように構成されている。そして、このものでも、開閉体の閉鎖作動の過程で先行して床面に当接して変形する第二封止部２８ｄが、ガイドレールに嵌挿されることがなく、床面に沿って大きく弾性変形することが可能である一方、第一封止部２８ｃがガイドレールに嵌挿されることでガイドレールとのあいだの隙間が塞がれて、封止性のよいオーバーヘッド式ドアとすることができる。
【図面の簡単な説明】
【００３６】
【図１】オーバーヘッド式ドアの概略斜視図である。
【図２】オーバーヘッド式ドアの一部を切り欠いた平面図である。
【図３】オーバーヘッド式ドアの一部を切り欠いた側面図である。
【図４】ガイドレール部の側面図である。
【図５】図５（Ａ）、（Ｂ）はそれぞれパネル体の側面図、正面図である。
【図６】最下端パネル体の背面図である。
【図７】図７（Ａ）、（Ｂ）はそれぞれ図６におけるＸ−Ｘ断面図、右側面図である。
【図８】図８（Ａ）、（Ｂ）はそれぞれ垂直レール部におけるパネル体嵌挿状態を説明する平面図、Ｒ状レール部におけるパネル体嵌挿状態を説明する平面図である。
【図９】図９（Ａ）、（Ｂ）はそれぞれ図１において右端部に取り付けられる吊持体取り付けブラケットの右側面図、左側面図である。
【図１０】図１０（Ａ）、（Ｂ）、（Ｃ）、（Ｄ）はそれぞれ図１において右端部に取り付けられる吊持体取り付けブラケットの平面図、背面図、正面図、図１０（Ｃ）におけるＸ−Ｘ断面図である。
【図１１】図１１（Ａ）、（Ｂ）はそれぞれ吊持体の正面図、側面図である。
【図１２】図１２（Ａ）、（Ｂ）はそれぞれ封止ユニットの正面図、図１２（Ａ）におけるＸ−Ｘ断面図である。
【図１３】パネル体の床面との接地状態を説明する側面図である。
【図１４】図１４（Ａ）、（Ｂ）はそれぞれ最下端パネル体と床面との接地状態を説明する正面図、側面図である。
【図１５】図１５（Ａ）、（Ｂ）はそれぞれ第二の実施の形態における封止体の側面断面図、第三の実施の形態における封止体の側面断面図である。
【符号の説明】
【００３７】
１    ドア体
２    パネル面板
３    第一連結部材
３ｊ    抜け止め片
４    第二連結部材
５    垂直レール部
５ｂ    ガイド片
５ｄ    出し入れ口
６    水平レール部
７    Ｒ状レール部
８    ガイドローラ
１６    吊持体
１８    吊持体取り付けブラケット
１８ｅ    案内溝
２３    外れ止めピン
２４    封止ユニット
２５    支持体
２６    弾性変形体
２６ｃ    第一封止部
２６ｄ    第二封止部
【図１】
2008008053.tif 000003
【図２】
2008008053.tif 000004
【図３】
2008008053.tif 000005
【図４】
2008008053.tif 000006
【図５】
2008008053.tif 000007
【図６】
2008008053.tif 000008
【図７】
2008008053.tif 000009
【図８】
2008008053.tif 000010
【図９】
2008008053.tif 000011
【図１０】
2008008053.tif 000012
【図１１】
2008008053.tif 000013
【図１２】
2008008053.tif 000014
【図１３】
2008008053.tif 000015
【図１４】
2008008053.tif 000016
【図１５】
2008008053.tif 000017